(57)【要約】【課題】戸袋パネル及び／又ドアパネルの表面において乗客及び運行関係者に与える情報を豊富にして、乗客及び運行関係者の利便性の向上を図ることができるプラットホームドア装置を提供する。【解決手段】鉄道又は路面電車のプラットホームにおける鉄道又は路面電車のレールに沿う端部に所定間隔で立設される戸袋パネル、及び隣接する前記戸袋パネル間を開閉するドアパネルを有するプラットホームドア装置において、前記戸袋パネル及び／又は前記ドアパネルに映像装置を設けたことを特徴とするプラットホームドア装置。【選択図】図１
2009078661.tif 000002
【特許請求の範囲】
【請求項１】
鉄道又は路面電車のプラットホームにおける鉄道又は路面電車のレールに沿う端部に所定間隔で立設される戸袋パネル、及び隣接する前記戸袋パネル間を開閉するドアパネルを有するプラットホームドア装置において、
前記戸袋パネル及び／又は前記ドアパネルに映像装置を設けたことを特徴とするプラットホームドア装置。
【請求項２】
前記映像装置は、動画、静止画、及び文字の一又は複数の映像が表示可能であることを特徴とする請求項１に記載のプラットホームドア装置。
【請求項３】
音声装置を備え、前記映像装置で表示される映像と共に音声が発せられることを特徴とする請求項１又は２に記載のプラットホームドア装置。
【請求項４】
前記映像装置で表示される映像の映像データは、前記プラットホームドア装置に備えられる記憶装置から電送される、並びに／又は、前記プラットホームドア装置の外部に設けられる装置から配線及び／若しくは電波で電送されることを特徴とする請求項１〜３の何れか１項に記載のプラットホームドア装置。
【請求項５】
複数の前記映像装置に同一の前記映像データを電送する、又は、各前記映像装置に異なる前記映像データを電送することを特徴とする請求項４に記載のプラットホームドア装置。
【請求項６】
前記映像データは、乗客向け及び運行関係者向け情報であり、該情報の何れか一の情報を選択して電送可能、又は該情報の双方の情報を電送可能であることを特徴とする請求項４又は５に記載のプラットホームドア装置。
【請求項７】
前記映像装置は、前記戸袋パネル並びに／又は前記ドアパネルの正面、背面、及び上面の一又は複数個所に設けられることを特徴とする請求項１〜６の何れか１項に記載のプラットホームドア装置。
【請求項８】
前記映像装置は、前記プラットホームドア装置に外装及び／又は内装されることを特徴とする請求項１〜７の何れか１項に記載のプラットホームドア装置。
【請求項９】
前記映像装置は、乗客及び／又は運行関係者が操作することで、特定の情報の映像が表示可能であることを特徴とする請求項１〜８の何れか１項に記載のプラットホームドア装置。
【請求項１０】
前記戸袋パネルには前記戸袋パネル間の支障体を検知する検知装置を備え、該検知装置が前記支障体を所定のタイミングで検知した際に、前記映像装置で前記支障体の存在を報知することを特徴とする請求項１〜９の何れか１項に記載のプラットホームドア装置。
【発明の詳細な説明】
【技術分野】
【０００１】
本発明は、鉄道又は路面電車のプラットホームにおける鉄道又は路面電車のレールに沿う端部に所定間隔で立設される戸袋パネル、及び隣接する前記戸袋パネル間を開閉するドアパネルを有するプラットホームドア装置に関する。
【背景技術】
【０００２】
従来、プラットホームドア装置としては、駅等のプラットホーム上に軌道側に沿って配置された複数の戸袋、各戸袋から出没自在に設けられて開閉可能なドア、戸袋やドアの上部に設けられ発光ダイオードのような発光素子からなる所定形状の表示体、ドアの動作並びに、プラットホームに対して車両が接近、停車中、発車等の運転状態、及び運転状態に対応したドアの動作に応じて、表示体の表示を制御する制御装置を備えているものが知られている（特許文献１参照）。
【０００３】
【特許文献１】特開２００７−０４５３４７号公報
【発明の開示】
【発明が解決しようとする課題】
【０００４】
しかしながら、上記従来技術では、戸袋やドアの上部に設けられ発光ダイオードのような発光素子からなる所定形状の表示体、並びに、ドアの動作並びに、プラットホームに対して車両が接近、停車中、発車等の運転状態、及び運転状態に対応したドアの動作に応じて、表示体の表示を制御する制御装置を備えているが、戸袋パネル及びドアパネルの表面において乗客及び運行関係者に与える情報が限定されているという課題がある。
【０００５】
そこで、本発明は、上記従来技術の課題を解決するためになされたものであって、その目的とするところは、戸袋パネル及び／又はドアパネルの表面において乗客及び運行関係者に与える情報を豊富にして、乗客及び運行関係者の利便性の向上を図ることができるプラットホームドア装置を提供することにある。
【課題を解決するための手段】
【０００６】
即ち、本第１の発明は、鉄道又は路面電車のプラットホームにおける鉄道又は路面電車のレールに沿う端部に所定間隔で立設される戸袋パネル、及び隣接する前記戸袋パネル間を開閉するドアパネルを有するプラットホームドア装置において、前記戸袋パネル及び／又は前記ドアパネルに映像装置を設けたことを特徴とするプラットホームドア装置である。
【０００７】
また、本第２の発明は、前記映像装置は、動画、静止画、及び文字の一又は複数の映像が表示可能であることを特徴とする第１の発明に記載のプラットホームドア装置である。
【０００８】
また、本第３の発明は、音声装置を備え、前記映像装置で表示される映像と共に音声が発せられることを特徴とする第１又は２の発明に記載のプラットホームドア装置である。
【０００９】
また、本第４の発明は、前記映像装置で表示される映像の映像データは、前記プラットホームドア装置に備えられる記憶装置から電送される、並びに／又は、前記プラットホームドア装置の外部に設けられる装置から配線及び／若しくは電波で電送されることを特徴とする第１〜３の発明の何れか１に記載のプラットホームドア装置である。
【００１０】
また、本第５の発明は、複数の前記映像装置に同一の前記映像データを電送する、又は、各前記映像装置に異なる前記映像データを電送することを特徴とする第４の発明に記載のプラットホームドア装置である。
【００１１】
また、本第６の発明は、前記映像データは、乗客向け及び運行関係者向け情報であり、該情報の何れか一の情報を選択して電送可能、又は該情報の双方の情報を電送可能であることを特徴とする第４又は５の発明に記載のプラットホームドア装置である。
【００１２】
また、本第７の発明は、前記映像装置は、前記戸袋パネル並びに／又は前記ドアパネルの正面、背面、及び上面の一又は複数個所に設けられることを特徴とする第１〜６の発明の何れか１に記載のプラットホームドア装置である。
【００１３】
また、本第８の発明は、前記映像装置は、前記プラットホームドア装置に外装及び／又は内装されることを特徴とする第１〜７の発明の何れか１に記載のプラットホームドア装置である。
【００１４】
また、本第９の発明は、前記映像装置は、乗客及び／又は運行関係者が操作することで、特定の情報の映像が表示可能であることを特徴とする第１〜８の発明の何れか１に記載のプラットホームドア装置である。
【００１５】
また、本第１０の発明は、前記戸袋パネルには前記戸袋パネル間の支障体を検知する検知装置を備え、該検知装置が前記支障体を所定のタイミングで検知した際に、前記映像装置で前記支障体の存在を報知することを特徴とする第１〜９の発明の何れか１に記載のプラットホームドア装置である。
【発明の効果】
【００１６】
本発明によれば、戸袋パネル及び／又ドアパネルの表面において乗客及び運行関係者に与える情報を豊富にして、乗客及び運行関係者の利便性の向上を図ることができるプラットホームドア装置を提供することができる。
【発明を実施するための最良の形態】
【００１７】
以下に、本発明の実施形態について図面を参照して説明する。
【００１８】
［実施形態］
図１及び図２は、本発明に係るプラットホームドア装置の実施形態を示す図である。
【００１９】
図１（ａ）は、本実施形態におけるプラットホームドア装置１０の上面図である。図１（ｂ）は、本実施形態におけるプラットホームドア装置１０の正面図である。図２は、本実施形態におけるプラットホームドア装置１０のＡ−Ａ線断面図である。
【００２０】
プラットホームドア装置１０は、鉄道又は路面電車のプラットホームＰＦにおける鉄道又は路面電車のレール（不図示）に沿う端部に所定間隔で立設される戸袋装置１２、及び隣接する戸袋装置１２間を開閉するドアパネル１４から構成されている。尚、戸袋装置１２がプラットホームＰＦに立設される所定間隔は、鉄道又は路面電車の車両におけるドア幅と略同等である。
【００２１】
戸袋装置１２は、鉄道又は路面電車のプラットホームＰＦにおける鉄道又は路面電車のレール（不図示）に沿う端部に所定間隔で立設される戸袋パネル１６、戸袋パネル１６の正面及び上面に画面が表出するように戸袋パネル１６に内装されている映像装置１８、映像装置１８に映し出す映像データが記憶され戸袋パネル１６に内装されている記憶装置２０、記憶装置２０に記憶されている映像データを映像装置１８に映し出す制御をする戸袋パネル１６に内装されている映像制御装置２２、戸袋パネル１６から音声が発せられるように戸袋パネル１６に内装されている音声装置２４、戸袋パネル１６にドアパネル１４を収納及び戸袋パネル１６からドアパネル１４を押出する戸袋パネル１６に内装されている駆動装置２６、及び、駆動装置２６で戸袋パネル１６にドアパネル１４を収納及び戸袋パネル１６からドアパネル１４を押出する制御をする戸袋パネル１６に内装されている駆動制御装置２８から構成されている。
【００２２】
また、隣接する一対の戸袋装置１２，１２には、それぞれの戸袋パネル１６，１６の背面から突出して隣接する一対の戸袋装置１２，１２間の支障体を検知する検知装置３０が設けられている。尚、支障体とは、物品又は人体である。
【００２３】
ドアパネル１４は、所定の厚さを有するよう外形が正面視で略矩形状に形成されている。また、一方のドアパネル１４における他方のドアパネル１４と当接する側面には、双方のドアパネル１４の当接する際の衝撃を緩衝するための弾性部材が設けられている。
【００２４】
戸袋パネル１６は、ドアパネル１４、記憶装置２０、映像制御装置２２、音声装置２４、駆動装置２６、及び駆動制御装置２８が収納される内部空間を有するよう外形が正面視で略矩形状に形成されている。また、戸袋パネル１６の正面及び上面には、映像装置１８の画面が表出するように略矩形状の開口が設けられている。また、戸袋パネル１６の一方の側面には、ドアパネル１４が水平方向に進退可能に略矩形状の開口が設けられている。また、戸袋パネル１６の上面は、プラットホームＰＦにおける鉄道又は路面電車のレール（不図示）に沿う戸袋パネル１６の端側に対して戸袋パネル１６の内側が下方となるように傾斜して形成されている。また、戸袋パネル１６の背面には、検知装置３０が設けられる凸部が形成されている。また、戸袋パネル１６の底面は、ボルト及びネット等の固定具でプラットホームＰＦに固定されている。
【００２５】
映像装置１８は、動画、静止画、及び文字の一又は複数の映像が表示可能であればよく、例えば、ＣＲＴディスプレイ、液晶ディスプレイ、プラズマディスプレイ、有機ＥＬディスプレイ、タッチパネルディスプレイ、及び電光掲示板等が挙げられる。尚、本実施形態において映像装置１８は、戸袋パネル１６の正面及び上面に画面が表出するように戸袋パネル１６に内装されているが、戸袋パネル１６の背面に画面が表出するように戸袋パネル１６に内装することもできる。また、本実施形態において映像装置１８は、画面が表出するように戸袋パネル１６に内装されているが、画面が表出するように戸袋パネル１６に外装することもできる。
【００２６】
記憶装置２０には、映像装置１８に映し出す映像データが記憶され、本映像データは、乗客向け及び／又は運行関係者向け情報である。尚、本実施形態において、記録装置２０は戸袋パネル１６に内装されているが、記録装置２０を駅に装備されている不図示の駅制御装置に設けることで戸袋パネル１６に内装されている記録装置２０を省略することができる。
【００２７】
映像制御装置２２は、記憶装置２０に記憶されている映像データを映像装置１８に映し出す制御をするが、所定のタイミングで所定の映像データを記憶装置２０から映像装置１８に電送する。また、記録装置２０が駅に装備されている不図示の駅制御装置に設けられている場合には、駅制御装置が所定のタイミングで所定の映像データを記憶装置２０から映像装置１８に電送する。尚、本場合には、戸袋パネル１６に内装されている映像制御装置２２を省略することができる。また、本場合には、映像データは配線及び／又は電波で記憶装置２０から映像装置１８に電送される。尚、駅制御装置から映像データが記憶装置２０から電波で電送される場合には、駅制御装置には電波を送信する送信機が設けられ、映像装置１８には電波を受信する受信機が設けられる。また、記録装置２０が駅に装備されている不図示の駅制御装置に設けられている場合においても戸袋パネル１６に内装されている映像制御装置２２を有することで、駅制御装置及び／又は映像制御装置２２が、所定のタイミングで所定の映像データを記憶装置２０から映像装置１８に電送することができる。
【００２８】
また、映像制御装置２２は、同一の戸袋パネル１６に内装されている複数の映像装置１８に同一の映像データを記録装置２０から電送する、又は、各映像装置１８に異なる映像データを記録装置２０から電送することができる。また、映像制御装置２２は、複数の戸袋パネル１６に内装されている複数の映像装置１８に同一の映像データを記録装置２０から電送する、又は、各映像装置１８に異なる映像データを記録装置２０から電送することができる。
【００２９】
また、映像制御装置２２は、記憶装置２０に記憶されている乗客向け及び運行関係者向け情報の何れか一の情報を選択して映像装置１８に電送することができる。また、記憶装置２０に記憶されている乗客向け及び運行関係者向け情報の双方の情報を映像装置１８に電送することができる。
【００３０】
また、映像装置１８がタッチパネルディスプレイのように映像装置１８側から特定の情報を映像装置１８に表示することを映像制御装置２２に対して命令することができる場合には、映像制御装置２２は、乗客及び／又は運行関係者が映像装置１８を操作して特定の情報を映像装置１８に表示することが命令された際に、記憶装置２０から映像装置１８に特定の映像データを電送する。
【００３１】
音声装置２４は、映像装置１８で表示される映像と共に音声が発せられるように、映像制御装置２２で記憶装置２０から電送される映像データに対応している音声データが電送される。尚、記憶装置２０に記憶されている所定の音声データは、記憶装置２０に記憶されている所定の映像データに対応して記憶されている。また、音声装置２４は、駅の所定箇所に設置することで戸袋パネル１６に内装されている音声装置２４を省略することができる。
【００３２】
検知装置３０は、隣接する一対の戸袋装置１２，１２間の支障体を検知するものであればよく、例えば、一方の戸袋装置１２に発光素子が設けられ、他方の戸袋装置１２に受光素子が設けられる光電センサが挙げられる。尚、検知装置３０が所定のタイミングで支障体を検知した場合には、映像制御装置２２で記憶装置２０から所定の映像データが映像装置１８に電送される。また、上記場合に、映像制御装置２２で記憶装置２０から所定の映像データが映像装置１８に電送されるのと同時に、所定の音声データが音声装置２４に電送されるようにすることもできる。
【００３３】
尚、本発明は上記実施形態に限定されるものではなく、本発明の要旨の範囲内において種々の変形実施が可能である。
【図面の簡単な説明】
【００３４】
【図１】図１は、本発明に係るプラットホームドア装置の実施形態を示す図である。
【図２】図２は、本発明に係るプラットホームドア装置の実施形態を示す図（図１のＡ−Ａ線断面図）である。
【符号の説明】
【００３５】
１０：プラットホームドア装置、１４：ドアパネル、１６：戸袋パネル、１８：映像装置、２０：記憶装置、２４：音声装置、３０：検知装置、ＰＦ：プラットホーム
【図１】
2009078661.tif 000003
【図２】
2009078661.tif 000004